(57)【特許請求の範囲】
【請求項１】
観察者の位置を検出し位置検出信号を出力する位置検出手段、前記位置検出手段からの前記位置検出信号に基づいて、映像切り替えタイミングを制御するための映像切替信号を生成する切替タイミング制御手段、および表示すべき映像を前記映像切替信号に応じて切り替える映像切替手段を備えた立体表示装置であって、
前記切替タイミング制御手段は、前記位置検出信号の変化に応じた検知信号を出力する検知手段、前記検知信号の入力に応じて前記位置検出信号を取り込むタイミングを制御するための制御信号を生成する制御信号生成手段、前記制御信号に応じて前記位置検出信号を取り込み、該位置検出信号に基づき前記映像切替信号を生成する映像切替信号生成手段を有し、
前記制御信号生成手段は、前記検知信号の入力に応じて所定時間の計時を開始し、該計時後に前記制御信号を生成する計時手段を有し、さらに
前記計時手段は、前記検知信号の入力毎にリセットされ再計時を開始するリセット機能を含むことを特徴とする立体表示装置。
【請求項２】
観察者の位置を検出し位置検出信号を出力する位置検出手段、前記位置検出手段からの前記位置検出信号に基づいて、映像切り替えタイミングを制御するための映像切替信号を生成する切替タイミング制御手段、および表示すべき映像を前記映像切替信号に応じて切り替える映像切替手段を備えた立体表示装置であって、
前記切替タイミング制御手段は、前記位置検出信号の変化に応じた検知信号を出力する検知手段、前記検知信号の入力に応じて前記位置検出信号を取り込むタイミングを制御するための制御信号を生成する制御信号生成手段、前記制御信号に応じて前記位置検出信号を取り込み、該位置検出信号に基づき前記映像切替信号を生成する映像切替信号生成手段を有し、さらに
前記制御信号生成手段は、前記検知信号の入力に応じて所定の第１時間の計時を開始し、該計時後に第１信号を生成する第１計時手段、前記第１信号の入力に応じて所定の第２時間の計時を開始し、該計時後に第２信号を生成する第２計時手段、および前記第１信号および前記第２信号に基づいて前記制御信号を生成する第１論理回路を有していることを特徴とする立体表示装置。
【請求項３】
観察者の位置を検出し位置検出信号を出力する位置検出手段、前記位置検出手段からの前記位置検出信号に基づいて、映像切り替えタイミングを制御するための映像切替信号を生成する切替タイミング制御手段、および表示すべき映像を前記映像切替信号に応じて切り替える映像切替手段を備えた立体表示装置であって、
前記切替タイミング制御手段は、前記位置検出信号の変化に応じた検知信号を出力する検知手段、前記検知信号の入力に応じて前記位置検出信号を取り込むタイミングを制御するための制御信号を生成する制御信号生成手段、前記制御信号に応じて前記位置検出信号を取り込み、該位置検出信号に基づき前記映像切替信号を生成する映像切替信号生成手段を有し、さらに
前記制御信号生成手段は、前記検知信号の入力に応じて所定の第１時間の計時を開始し、該計時後に第１信号を生成する第１計時手段、前記検知信号の入力に応じて前記第１時間より長い所定の第２時間の計時を開始し、該計時後に第２信号を生成する第２計時手段、および前記第１信号および前記第２信号に基づいて前記制御信号を生成する第２論理回路を有していることを特徴とする立体表示装置。
【請求項４】
前記第１計時手段は、前記検知信号の入力毎にリセットされ再計時を開始するリセット機能を有する、請求項２または３に記載の立体表示装置。
【請求項５】
前記第２計時手段は、前記第１信号の入力毎にリセットされ再計時を開始するリセット機能を有する、請求項２に記載の立体表示装置。
【請求項６】
前記第２計時手段は、前記検知信号の入力毎にリセットされ再計時を開始するリセット機能を有する、請求項３に記載の立体表示装置。
【請求項７】
前記第１計時手段は、前記検知信号の入力毎にリセットされ再計時を開始するリセット機能を有し、かつ前記第２計時手段は、前記第１信号の入力毎にリセットされ再計時を開始するリセット機能を有する、請求項２に記載の立体表示装置。
【請求項８】
前記第１計時手段は、前記検知信号の入力毎にリセットされ再計時を開始するリセット機能を有し、かつ前記第２計時手段は、前記検知信号の入力毎にリセットされ再計時を開始するリセット機能を有する、請求項３に記載の立体表示装置。
【発明の詳細な説明】
【０００１】
【発明の属する技術分野】
この発明は立体表示装置に関し、特にたとえば特殊な眼鏡を用いることなく立体映像を鑑賞できる眼鏡なし立体表示装置に関する。
【０００２】
【従来の技術】
図１５を参照して、この種の立体表示装置１としては、たとえば液晶パネルなどの画像を表示する表示パネル２上にパララックスバリア３やレンチキュラレンズ４等を貼り合わせてなる眼鏡なし立体ディスプレイ５を用いるものがある。このように、表示パネル２上にパララックスバリア３やレンチキュラレンズ４等を貼り合わせることによって、画素上の画像の左右分離を行い、特殊な眼鏡を装着することなしに立体映像を観察することができる。なお、図１５において、Ｅは眼間距離である。
【０００３】
【発明が解決しようとする課題】
この場合、適視距離Ｄにおいては、右目画像を観察できる右目画像領域Ｒと左目画像を観察できる左目画像領域Ｌとが交互に存在する。
【０００４】
したがって、観察者６の右目ｒが右目画像領域に、左目ｌが左目画像領域に、それぞれ位置する場合には、観察者６は正視領域（図１５ではａで示す）にいるので、立体視可能であるが、逆の場合には観察者６は逆視領域（図１５ではｂで示す）にいるので、立体視できなくなり、さらに、正視領域と逆視領域との間に存在するクロストーク領域（図１５ではｃで示す）では、片目に右目画像と左目画像との両方が観察される。このように立体視できる領域が限定されている。
【０００５】
また、本件出願人は特開平７ー１８１４２９号公報において、光源をストライプ化し、さらに液晶パネルに１ラインおきに右目情報と左目情報とを交互に表示することにより、特殊な眼鏡を装着することなしに立体映像を観察する技術を開示しているが、この場合においても同様である。
【０００６】
そこで、センサにより観察者の頭位置を検出し、その位置検出信号によって、表示すべき映像を切り替えることで、立体観察領域を広げる技術が提案されている。
【０００７】
しかし、観察者が正視領域／逆視領域の境界すなわちクロストーク領域に位置するとき、あるいは外部ノイズが大きいような環境では、センサによる位置検出信号の切り替わりが頻繁に起こり、それに応じて、表示している映像の切り替わりが頻繁に行われることになる。その結果、観察者が立体映像を認識しづらい状況を招いてしまうという問題点があった。
【０００８】
それゆえに、この発明の主たる目的は、観察者が立体映像を認識しやすい、立体表示装置を提供することである。
【０００９】
【課題を解決するための手段】
上記目的を達成するために、請求項１に記載の立体表示装置は、観察者の位置を検出し位置検出信号を出力する位置検出手段、前記位置検出手段からの前記位置検出信号に基づいて、映像切り替えタイミングを制御するための映像切替信号を生成する切替タイミング制御手段、および表示すべき映像を前記映像切替信号に応じて切り替える映像切替手段を備えた立体表示装置であって、前記切替タイミング制御手段は、前記位置検出信号の変化に応じた検知信号を出力する検知手段、前記検知信号の入力に応じて前記位置検出信号を取り込むタイミングを制御するための制御信号を生成する制御信号生成手段、前記制御信号に応じて前記位置検出信号を取り込み、該位置検出信号に基づき前記映像切替信号を生成する映像切替信号生成手段を有し、前記制御信号生成手段は、前記検知信号の入力に応じて所定時間の計時を開始し、該計時後に前記制御信号を生成する計時手段を有し、さらに前記計時手段は、前記検知信号の入力毎にリセットされ再計時を開始するリセット機能を含むことを特徴とする。
【００１０】
請求項１に記載の立体表示装置では、まず、センサなどからなる位置検出手段が観察者の位置を検出し、その位置に応じた位置検出信号を切替タイミング制御手段に出力する。切替タイミング制御手段は、位置検出信号に基づいて映像切替信号を生成し、映像切り替えのタイミングを制御する。映像切替手段は、映像切替信号に応じて表示すべき映像を切り替える。このように映像切替手段は、位置検出信号をそのまま用いて映像を切り替えるのではなく、位置検出信号に基づいて生成された映像切替信号を用いて映像を切り替えるので、微妙な観察者の動きや外部ノイズによって位置検出信号に揺らぎが生じても、映像切り替えに対する影響は低減される。
【００１１】
また、制御信号生成手段は、検知信号の入力に応じて所定時間の計時を開始し、該計時後に制御信号を生成する計時手段を有し、この計時手段は、検知信号の入力毎にリセットされ再計時を開始するリセット機能を含むものであるので、計時手段で設定される所定時間によって、制御信号の出力タイミング、すなわち位置検出信号を取り込むタイミングが決定されると共に、計時手段によって設定される所定時間より短い時間間隔で検知信号が計時手段に入力されれば、その都度計時手段はリセットされ、その結果、位置検出信号の取り込みタイミングが遅延する制御信号が生成される。
【００１２】
請求項２に記載の立体表示装置では、観察者の位置を検出し位置検出信号を出力する位置検出手段、前記位置検出手段からの前記位置検出信号に基づいて、映像切り替えタイミングを制御するための映像切替信号を生成する切替タイミング制御手段、および表示すべき映像を前記映像切替信号に応じて切り替える映像切替手段を備えた立体表示装置であって、前記切替タイミング制御手段は、前記位置検出信号の変化に応じた検知信号を出力する検知手段、前記検知信号の入力に応じて前記位置検出信号を取り込むタイミングを制御するための制御信号を生成する制御信号生成手段、前記制御信号に応じて前記位置検出信号を取り込み、該位置検出信号に基づき前記映像切替信号を生成する映像切替信号生成手段を有し、さらに前記制御信号生成手段は、前記検知信号の入力に応じて所定の第１時間の計時を開始し、該計時後に第１信号を生成する第１計時手段、前記第１信号の入力に応じて所定の第２時間の計時を開始し、該計時後に第２信号を生成する第２計時手段、および前記第１信号および前記第２信号に基づいて前記制御信号を生成する第１論理回路を有していることを特徴とする。
【００１３】
請求項２に記載の立体表示装置では、第１計時手段が、検知手段からの検知信号に基づいて第１信号を生成し、第２計時手段に与える。第１計時手段で設定される所定の第１時間によって第１信号の出力タイミングが決定される。第２計時手段は、第１信号に基づいて第２信号を生成する。第２計時手段で設定される所定の第２時間に基づいて第２信号の出力タイミングが決定される。第１論理回路は、第１信号および第２信号に基づいて制御信号を生成し、その制御信号によって、位置検出信号の取り込みタイミングが決定される。
【００１４】
請求項３に記載の立体表示装置は、観察者の位置を検出し位置検出信号を出力する位置検出手段、前記位置検出手段からの前記位置検出信号に基づいて、映像切り替えタイミングを制御するための映像切替信号を生成する切替タイミング制御手段、および表示すべき映像を前記映像切替信号に応じて切り替える映像切替手段を備えた立体表示装置であって、前記切替タイミング制御手段は、前記位置検出信号の変化に応じた検知信号を出力する検知手段、前記検知信号の入力に応じて前記位置検出信号を取り込むタイミングを制御するための制御信号を生成する制御信号生成手段、前記制御信号に応じて前記位置検出信号を取り込み、該位置検出信号に基づき前記映像切替信号を生成する映像切替信号生成手段を有し、さらに前記制御信号生成手段は、前記検知信号の入力に応じて所定の第１時間の計時を開始し、該計時後に第１信号を生成する第１計時手段、前記検知信号の入力に応じて前記第１時間より長い所定の第２時間の計時を開始し、該計時後に第２信号を生成する第２計時手段、および前記第１信号および前記第２信号に基づいて前記制御信号を生成する第２論理回路を有していることを特徴とする。
【００１５】
請求項３に記載の立体表示装置では、第１計時手段が、検知手段からの検知信号に基づいて第１信号を生成する。第１計時手段で設定される所定の第１時間によって第１信号の出力タイミングが決定される。第２計時手段は、検知信号に基づいて第２信号を生成する。第２計時手段で設定される前記第１時間より長い所定の第２時間に基づいて第２信号の出力タイミングが決定される。第２計時手段は、第１信号ではなく検知信号に基づいて第２信号を生成するので、第１計時手段の動作の影響を受けない。第２論理回路は、第１信号および第２信号に基づいて制御信号を生成し、その制御信号によって、位置検出信号の取り込みタイミングが決定される。
【００１６】
請求項４に記載の立体表示装置は、請求項２または３に記載の立体表示装置において、第１計時手段は、検知信号の入力毎にリセットされ再計時を開始するリセット機能を有するものである。
【００１７】
請求項４に記載の立体表示装置では、第１計時手段は、検知信号が入力される毎にリセットされ、再計時を開始する。したがって、第１計時手段によって設定された所定時間より短い時間間隔で検知信号が第１計時手段に入力されれば、その都度第１計時手段はリセットされ、その結果、位置検出信号の取り込みタイミングが遅延する第１信号すなわち制御信号が生成される。
【００１８】
請求項５に記載の立体表示装置は、請求項２に記載の立体表示装置において、第２計時手段は、第１信号の入力毎にリセットされ再計時を開始するリセット機能を有するものである。
【００１９】
請求項５に記載の立体表示装置では、第２計時手段は、第１信号が入力される毎にリセットされ、再計時を開始する。したがって、第２計時手段によって設定された第２時間より短い時間間隔で第１信号が第２計時手段に入力されれば、その都度第２計時手段はリセットされる。その結果、位置検出信号の取り込みタイミングが遅延する第２信号すなわち制御信号が生成される。
【００２０】
請求項６に記載の立体表示装置は、請求項３に記載の立体表示装置において、第２計時手段は、検知信号の入力毎にリセットされ再計時を開始するリセット機能を有するものである。
【００２１】
請求項６に記載の立体表示装置では、第２計時手段は、検知信号が入力される毎にリセットされ、再計時を開始する。したがって、第２計時手段によって設定された第２時間より短い時間間隔で検知信号が第２計時手段に入力されれば、その都度第２計時手段はリセットされる。その結果、位置検出信号の取り込みタイミングが遅延する第２信号すなわち制御信号が生成される。
【００２２】
請求項７に記載の立体表示装置は、請求項２に記載の立体表示装置において、第１計時手段は、検知信号の入力毎にリセットされ再計時を開始するリセット機能を有し、かつ第２計時手段は、第１信号の入力毎にリセットされ再計時を開始するリセット機能を有するものである。
【００２３】
請求項７に記載の立体表示装置では、第１計時手段は、検知信号が入力される毎にリセットされ、再計時を開始する。したがって、第１計時手段によって設定された所定の第１時間より短い時間間隔で検知信号が第１計時手段に入力されれば、その都度第１計時手段はリセットされる。
【００２４】
また、第２計時手段は、第１信号が入力される毎にリセットされ、再計時を開始する。したがって、第２計時手段によって設定された所定の第２時間より短い時間間隔で第１信号が第２計時手段に入力されれば、その都度第２計時手段はリセットされる。
【００２５】
その結果、位置検出信号の取り込みタイミングが遅延する制御信号が生成される。
【００２６】
請求項８に記載の立体表示装置は、請求項３に記載の立体表示装置において、第１計時手段は、検知信号の入力毎にリセットされ再計時を開始するリセット機能を有し、かつ第２計時手段は、検知信号の入力毎にリセットされ再計時を開始するリセット機能を有するものである。
【００２７】
請求項８に記載の立体表示装置では、第１計時手段は、検知信号が入力される毎にリセットされ、再計時を開始する。したがって、第１計時手段によって設定された所定の第１時間より短い時間間隔で検知信号が第１計時手段に入力されれば、その都度第１計時手段はリセットされる。
【００２８】
また、第２計時手段は、検知信号が入力される毎にリセットされ、再計時を開始する。したがって、第２計時手段によって設定された第２時間より短い時間間隔で検知信号が第２計時手段に入力されれば、その都度第２計時手段はリセットされる。
【００２９】
その結果、位置検出信号の取り込みタイミングが遅延する制御信号が生成される。
【００３０】
【発明の実施の形態】
以下、この発明の実施の形態について図面を参照して説明する。
【００３１】
図１および図２を参照して、この発明の実施の形態の立体表示装置１０は、眼鏡なし立体ディスプレイ１２を含む。眼鏡なし立体ディスプレイ１２は、たとえば液晶パネルなどの画像を表示する表示パネル１４上にパララックスバリア１６またはレンチキュラレンズ１８等を貼り合わせることによって構成される。また、眼鏡なし立体ディスプレイ１２には、観察者２０に光を照射するための発光素子２２、および観察者２０からの反射光によって観察者２０の位置を検出するためのセンサ２４が形成される。センサ２４は、ここでは、正視領域／逆視領域に対応した位置検出信号として、「Ｈ」／「Ｌ」（ハイレベル／ローレベル）の２値の信号を出力するものとする。なお、図１に線Ａで示すように、クロストーク領域は線で区切られ、正視領域側を正視領域と、逆視領域側を逆視領域と、それぞれみなして、対応する信号を出力する。因みに、適視距離Ｄにおいて、観察者２０が正視領域にいるとすれば、観察者２０が左に頭を動かしていくと、クロストーク（二重像）が観察され、さらに頭を動かせば、逆視領域となる。これは、右方向に頭を動かしたときも同様である。
【００３２】
位置検出信号は、図２に示すように、切替タイミング制御回路２６の検知回路２８および映像切替信号生成回路３０に与えられる。検知回路２８では、位置検出信号のエッジを検知することで位置検出信号の切り替わりを検知し、上に凸のパルス状の検知信号を生成し計時回路３２に与える。計時回路３２は、位置検出信号の切り替わりが起こってから、映像切替信号生成回路３０に位置検出信号を取り込むまでの時間を制御する。したがって、計時回路３２では、検知信号の立ち上がりを検出して、下に凸の矩形状の制御信号を生成し、映像切替信号生成回路３０に与える。
【００３３】
なお、計時回路３２には、リセット機能がある場合と、ない場合とがある。計時回路３２にリセット機能がある場合には、計時回路３２によって設定される所定時間内に、位置検出信号が切り替わり、検知信号が計時回路３２に再入力されると、計時回路３２はリセットされ、計時を０からやり直す。
【００３４】
計時回路３２で設定される所定時間Ｔを調整することによって、位置検出信号の切り替わりが起こってから映像切り替えが行われるタイミングを任意に変えることができ、また、計時回路３２にリセット機能を持たせることによって、任意の時間内は映像切り替えを行わないようにすることもできる。
【００３５】
映像切替信号生成回路３０はたとえばフリップフロップによって形成され、映像切替信号生成回路３０では、制御信号の立ち上がりに合わせて位置検出信号を取り込み、その位置検出信号を次の制御信号の立ち上がり時点まで保持する。この信号が映像切替信号として、映像切替回路３４に与えられる。
【００３６】
映像切替回路３４では、映像切替信号に応じて、表示パネル１４に表示する映像を切り替える。すなわち、映像切替信号が「Ｈ」であれば、観察者２０は正視領域にいると判断し、映像切替回路３４は左目用映像および右目用映像を通常通り表示パネル１４に与え、表示パネル１４に表示する。映像切替信号が「Ｌ」であれば、観察者２０は逆視領域にいると判断し、映像切替回路３４は左目用映像および右目用映像を通常とは逆になるように切り替えて表示パネル１４に与え、表示パネル１４に表示する。また、映像切替信号が「Ｌ」のときは、外部から入力されるあるいは内蔵のマイコン等のメモリから出力される他の映像、たとえば観察者２０の位置を知らせその位置を修正するための矢印や２Ｄ映像などを表示パネル１４に与えてもよい。
【００３７】
このように構成される立体表示装置１０の各信号波形の一例を図３および図４に示す。
【００３８】
まず、図３を参照して、計時回路３２がリセット機能を有さず、センサ２４から比較的幅の広い（所定時間Ｔより幅の広い）位置検出信号および比較的幅の狭い（所定時間Ｔより幅の狭い）位置検出信号が出力される場合について説明する。
【００３９】
センサ２４から（ａ）に示す位置検出信号が出力されると、検知回路２８は位置検出信号のエッジを検知し、（ｂ）に示す検知信号を生成し計時回路３２に出力する。計時回路３２は検知信号の立ち上がりを検出し、（ｃ）に示すような下に凸の矩形状の制御信号を生成し、映像切替信号生成回路３０に与える。すると、上記［００３５］に記載のしたように、映像切替信号生成回路３０は、制御信号の立ち上がりに合わせて位置検出信号を取り込み、（ｄ）に示す映像切替信号を生成し、映像切替回路３４に与える。
【００４０】
このように映像切替回路３４には、（ａ）に示す位置検出信号ではなく（ｄ）に示す映像切替信号を与えるので、映像切り替えのタイミングを遅延し、また、位置検出信号が揺らいでも、映像切替動作に対する影響を低減して、煩雑な映像の切り替わりを少なくでき、観察者は立体映像を認識しやすくなる。
【００４１】
なお、以下に述べる図４に示す場合においても、図３に示す場合と同様に、（ａ）に示す位置検出信号、（ｂ）に示す検知信号、（ｃ）に示す制御信号および（ｄ）に示す映像切替信号が生成される。
【００４２】
ついで、図４を参照して、計時回路３２がリセット機能を有し、センサ２４から比較的幅の広い位置検出信号（所定時間Ｔより幅の広い）および比較的幅の狭い（所定時間Ｔより幅の狭い）位置検出信号が出力される場合について説明する。
【００４３】
この場合には、計時回路３２はリセット機能を有しているので、計時回路３２によって設定される所定時間Ｔ内に、位置検出信号が切り替わり、検知信号が計時回路３２に再入力されると、計時回路３２はリセットされ、計時を０からやり直す。
【００４４】
その結果、所定時間Ｔより幅の広い位置検出信号が出力される図４の前半部分では、計時回路３２はたとえば時点ｘ１などにおいてリセットされ、所定時間Ｔの計時を０からやり直す。このため、（ｃ）に示す制御信号は、図３の（ｃ）に示す制御信号とは異なる。
【００４５】
また、所定時間Ｔより幅の狭い位置検出信号が出力される図４の後半部分では、計時回路３２はたとえば時点ｘ２などにおいて検知信号が入力される毎にリセットされるので、（ｃ）に示す制御信号は、図３の（ｃ）に示す制御信号とは異なり、「Ｌ」の状態を保持し続ける。
これは、所定時間Ｔの計時途中のｘ１、ｘ２において、検知信号が計時回路３２に再入力され、上記［００４３］に記載したように、計時を０からやり直しているためである。
【００４６】
図４に示す場合においても、映像切替回路３４には、（ａ）に示す位置検出信号ではなく（ｄ）に示す映像切替信号を与えるので、映像切り替えのタイミングを遅延し、また、位置検出信号が揺らいでも、映像切替動作に対する影響を低減して、煩雑な映像の切り替わりを少なくでき、観察者は立体映像を認識しやすくなる。
【００４７】
また、図４の後半部分では、計時回路３２にリセット機能を持たせることによって、映像切替回路３４に与えられる（ｄ）に示す映像切替信号は同一状態を保持し続けるので、位置検出信号が揺らいでも、映像切替動作は影響を受けず、煩雑な映像の切り替わりをなくすことができる。
【００４８】
すなわち、計時回路３２によって設定される所定時間Ｔよりも短い時間間隔での位置検出信号の切り替わりを無視し、映像を切り替えないので、煩雑な映像切り替えをさらに少なくでき、見やすい映像を提供できる。
【００４９】
このように、計時回路３２にリセット機能を持たせることによって、位置検出信号の頻繁な切り替わりを映像切り替えに反映させないようにできる。
【００５０】
図７、図９、図１２および図１４において、第１計時回路３２ａにリセット機能を持たせる場合においても同様である。
【００５１】
また、図５を参照して、この発明の他の実施の形態の立体表示装置１０ａは、切替タイミング制御回路２６の代わりに切替タイミング制御回路２６ａを用いる点以外は、立体表示装置１０と同様である。
【００５２】
切替タイミング制御回路２６ａは、検知回路２８、映像切替信号生成回路３０、第１計時回路３２ａ、第２計時回路３２ｂおよび演算回路３６を含む。
【００５３】
第１計時回路３２ａ、第２計時回路３２ｂおよび演算回路３６は、位置検出信号の切り替わりが起こってから、映像切替信号生成回路３０に位置検出信号を取り込むまでの時間、および位置検出信号を取り込んでから次の位置検出信号を取り込むまでの時間を制御する。
【００５４】
そのために、第１計時回路３２ａでは、検知信号の立ち上がりを検出して、下に凸の矩形状の第１信号を生成し、演算回路３６に与える。
【００５５】
また、第２計時回路３２ｂは、第１計時回路３２ａで生成された第１信号の立ち上がりを検出し、所定時間Ｔ２相当分遅延させて下に凸の矩形状の第２信号を生成し、演算回路３６に与える。
【００５６】
ここで、第１計時回路３２ａおよび第２計時回路３２ｂは、それぞれ、リセット機能を有する場合と、有しない場合とがあり、したがって、第１計時回路３２ａおよび第２計時回路３２ｂがともにリセット機能を有しない場合、第１計時回路３２ａだけがリセット機能を有する場合、第２計時回路３２ｂだけがリセット機能を有する場合、第１計時回路３２ａおよび第２計時回路３２ｂがともにリセット機能を有する場合の、４つの態様が考えられる。
【００５７】
第１計時回路３２ａにリセット機能がある場合には、第１計時回路３２ａによって設定される所定時間Ｔ１内に、位置検出信号が切り替わり、検知信号が第１計時回路３２ａに再入力されると、第１計時回路３２ａはリセットされ、計時を０からやり直す。同様に、第２計時回路３２ｂにリセット機能がある場合には、第２計時回路３２ｂによって設定される所定時間Ｔ３内に、第１信号が切り替わり、第１信号が第２計時回路３２ｂに再入力されると、第２計時回路３２ｂはリセットされ、計時を０からやり直す。なお、第２計時回路３２ｂで設定される所定時間Ｔ３は、第１計時回路３２ａで設定される所定時間Ｔ１より長く設定される。
【００５８】
第１計時回路３２ａおよび第２計時回路３２ｂのそれぞれで設定される所定時間Ｔ１およびＴ３を調整することによって、位置検出信号の切り替わりが起こってから映像切り替えが行われるタイミングを任意に変えることができ、また、第１計時回路３２ａおよび／または第２計時回路３２ｂにリセット機能を持たせることによって、任意の時間内は映像切り替えを行わないようにすることもできる。
【００５９】
演算回路３６はＡＮＤゲートとして機能し、第１信号と第２信号とのＡＮＤをとり、制御信号を得、映像切替信号生成回路３０に与える。その他の点は、立体表示装置１０と同様である。
【００６０】
このように構成される立体表示装置１０ａの各信号波形の一例を図６〜図９に示す。
【００６１】
まず、図６を参照して、第１計時回路３２ａおよび第２計時回路３２ｂがともにリセット機能を有さず、センサ２４から比較的幅の広い（所定時間Ｔ１より幅の広い）位置検出信号および比較的幅の狭い（所定時間Ｔ１より幅の狭い）位置検出信号が出力される場合について説明する。
【００６２】
センサ２４から（ａ）に示す位置検出信号が出力されると、検知回路２８は位置検出信号のエッジを検知し、（ｂ）に示す検知信号を生成し、第１計時回路３２ａに出力する。第１計時回路３２ａは検知信号の立ち上がりを検出し、（ｃ）に示すような下に凸の矩形状の第１信号を生成し、第２計時回路３２ｂおよび演算回路３６に与える。すると、第２計時回路３２ｂは、第１信号の立ち上がりを検出し、所定時間Ｔ２相当分遅延して（ｄ）に示すような下に凸の矩形状の第２信号を生成し、演算回路３６に与える。
【００６３】
演算回路３６では、第１信号と第２信号とのＡＮＤをとって（ｅ）に示す制御信号を生成し、映像切替信号生成回路３０に与える。
【００６４】
映像切替信号生成回路３０は、制御信号の立ち上がりに合わせて位置検出信号を取り込み、（ｆ）に示す映像切替信号を生成し、映像切替回路３４に与える。
【００６５】
このように映像切替回路３４には、（ａ）に示す位置検出信号ではなく（ｆ）に示す映像切替信号を与えるので、映像切り替えのタイミングを遅延し、また、位置検出信号が揺らいでも、映像切替動作に対する影響を低減して、煩雑な映像の切り替わりを少なくでき、観察者は立体映像を認識しやすくなる。
【００６６】
なお、以下に述べる図７〜図９に示す場合においても、図６に示す場合と同様に、（ａ）に示す位置検出信号、（ｂ）に示す検知信号、（ｃ）に示す第１信号、（ｄ）に示す第２信号、（ｅ）に示す制御信号および（ｆ）に示す映像切替信号が生成される。
【００６７】
ついで、図７を参照して、第１計時回路３２ａのみリセット機能を有し、センサ２４から比較的幅の広い位置検出信号（所定時間Ｔ１より幅の広い）および比較的幅の狭い（所定時間Ｔ１より幅の狭い）位置検出信号が出力される場合について説明する。
【００６８】
この場合には、第１計時回路３２ａはリセット機能を有しているので、第１計時回路３２ａによって設定される所定時間Ｔ１内に、位置検出信号が切り替わり、検知信号が第１計時回路３２ａに再入力されると、計時回路３２はリセットされ、計時を０からやり直す。
【００６９】
その結果、所定時間Ｔ１より幅の広い位置検出信号が出力される図７の前半部分では、たとえば時点ｘ３などにおいてリセットされ、（ｃ）に示す第１信号は、図６の（ｃ）に示す第１信号とは異なる。
【００７０】
また、所定時間Ｔ１より幅の狭い位置検出信号が出力される図７の後半部分では、所定時間Ｔ１より狭い間隔で（ｂ）に示す検知信号が第１計時回路３２ａに入力され続ける。したがって、第１計時回路３２ａは、たとえば時点ｘ４などにおいて検知信号が入力される毎にリセットされるので、図７の後半部分の（ｃ）に示す第１信号は、図６の後半部分の（ｃ）に示す第１信号とは異なり、一度立ち下がり時点ｘ４でリセットされた後は「Ｌ」の状態を保持し続ける。
【００７１】
それに伴って、（ｄ）に示す第２信号および（ｅ）に示す制御信号も、それぞれ、図６の（ｄ）に示す第２信号および（ｅ）に示す制御信号とは異なる。
【００７２】
図７に示す場合においても、映像切替回路３４には、（ａ）に示す位置検出信号ではなく（ｆ）に示す映像切替信号を与えるので、映像切り替えのタイミングを遅延し、また、位置検出信号が揺らいでも、映像切替動作に対する影響を低減して、煩雑な映像の切り替わりを少なくでき、観察者は立体映像を認識しやすくなる。
【００７３】
特に、図７の後半部分では、（ｃ）に示す第１信号は（ｂ）に示す検知信号によって頻繁にリセットされ、（ｅ）に示す制御信号からわかるように、一度も位置検出信号を取り込まない。すなわち、図７の後半部分では、映像切替回路３４には、（ｆ）に示すような同一状態を保持し続ける映像切替信号が与えられるので、位置検出信号が揺らいでも、映像切替動作は影響を受けず、映像は切り替えられない。
【００７４】
したがって、第１計時回路３２ａにリセット機能を持たせることによって、第１計時回路３２ａで設定される所定時間Ｔ１より短い時間間隔で位置検出信号の切り替わりが起こっても、それを無視するので、表示する画像を一度も切り替えることなく制御される場合がある。
【００７５】
さらに、図８を参照して、第２計時回路３２ｂのみリセット機能を有し、センサ２４から比較的幅の広い位置検出信号（所定時間Ｔ１より幅の広い）および比較的幅の狭い（所定時間Ｔ１より幅の狭い）位置検出信号が出力される場合について説明する。
【００７６】
この場合には、第２計時回路３２ｂはリセット機能を有しているので、第２計時回路３２ｂによって設定される所定時間Ｔ３内に、第１信号が切り替わり、第１信号が第２計時回路３２ｂに再入力されると、第２計時回路３２ｂはリセットされ、計時を０からやり直す。
【００７７】
図８からわかるように、（ｃ）に示す第１信号が所定時間Ｔ３より狭い間隔で第２計時回路３２ｂに入力され続けるので、第２計時回路３２ｂはたとえば時点ｘ５などにおいて頻繁にリセットされる。
【００７８】
その結果、（ｄ）に示す第２信号は、図６の（ｄ）に示す第２信号とは異なり、一度立ち下がった後は「Ｌ」の状態を保持し続ける。それに伴って、（ｅ）に示す制御信号も、図６の（ｅ）に示す制御信号とは異なる。
【００７９】
図８に示す場合においては、第２計時回路３２ｂにリセット機能を持たせることによって、（ｄ）に示す第２信号からわかるように、所定時間Ｔ３より短い時間間隔での位置検出信号の切り替えを無視できるので、（ｅ）に示す制御信号からわかるように、位置検出信号を取り込む回数が減少する。したがって、映像を切り替える回数をさらに減らすことができる。
【００８０】
また、映像切替回路３４には、（ａ）に示す位置検出信号ではなく（ｆ）に示す映像切替信号を与えるので、映像切り替えのタイミングを遅延し、また、位置検出信号が揺らいでも、映像切替動作に対する影響を低減して、煩雑な映像の切り替わりを少なくでき、観察者は立体映像を認識しやすくなる。
【００８１】
さらに、第２計時回路３２ｂにリセット機能を持たせることによって、映像切替信号を同一状態に保持する時間を長くすることができる。また、第２計時回路３２ｂにリセット機能を持たせれば、一度だけ第１計時回路３２ａによって決定される時間後に映像切り替えが起こっても、その後、位置検出信号が切り替わっているにも拘わらず、一度も映像切り替えが起こらないように、制御される場合がある。
【００８２】
ついで、図９を参照して、第１計時回路３２ａおよび第２計時回路３２ｂがともにリセット機能を有し、センサ２４から比較的幅の広い位置検出信号（所定時間Ｔ１より幅の広い）および比較的幅の狭い（所定時間Ｔ１より幅の狭い）位置検出信号が出力される場合について説明する。
【００８３】
この場合には、第１計時回路３２ａはリセット機能を有しているので、第１計時回路３２ａによって設定される所定時間Ｔ１内に、位置検出信号が切り替わり、検知信号が第１計時回路３２ａに再入力されると、第１計時回路３２ａはリセットされ、計時を０からやり直す。また、第２計時回路３２ｂもリセット機能を有しているので、第２計時回路３２ａによって設定される所定時間Ｔ３内に、第１信号が切り替わり、第１信号が第２計時回路３２ｂに再入力されると、第２計時回路３２ｂはリセットされ、計時を０からやり直す。
【００８４】
図９からわかるように、第１計時回路３２ａはたとえば時点ｘ６およびｘ７などにおいて頻繁にリセットされ、第２計時回路３２ｂはたとえば時点ｘ８およびｘ９などにおいて頻繁にリセットされる。
【００８５】
その結果、（ｃ）に示す第１信号および（ｄ）に示す第２信号は、それぞれ、図６の（ｃ）に示す第１信号および（ｄ）に示す第２信号とは異なり、それに伴って、（ｅ）に示す制御信号も、図６の（ｅ）に示す制御信号とは異なる。
【００８６】
図９に示す場合においては、第１計時回路３２ａにリセット機能を持たせることによって、第１計時回路３２ａによって設定される所定時間Ｔ１より短い時間間隔での位置検出信号の切り替えを、第２計時回路３２ｂにリセット機能を持たせることによって、第２計時回路３２ｂによって設定される所定時間Ｔ３より短い時間間隔での位置検出信号の切り替えを、それぞれ無視できる。その結果、（ｅ）に示す制御信号からわかるように、位置検出信号を取り込む回数が減少する。したがって、映像を切り替える回数をさらに減らすことができる。
【００８７】
また、映像切替回路３４には、（ａ）に示す位置検出信号ではなく（ｆ）に示す映像切替信号を与えるので、映像切り替えのタイミングを遅延し、また、位置検出信号が揺らいでも、映像切替動作に対する影響を低減して、煩雑な映像の切り替わりを少なくでき、観察者は立体映像を認識しやすくなる。
【００８８】
特に、図９の後半部分では、（ｅ）に示す制御信号からわかるように、一度も位置検出信号を取り込まない。すなわち、図９の後半部分では、映像切替回路３４には、（ｆ）に示すような同一状態を保持し続ける映像切替信号を与えるので、位置検出信号が揺らいでも、映像切替動作は影響を受けず、煩雑な映像の切り替わりがなくなる。
【００８９】
ついで、図１０を参照して、この発明のその他の実施の形態の立体表示装置１０ｂは、切替タイミング制御回路２６ａの代わりに切替タイミング制御回路２６ｂを用いる点以外は、立体表示装置１０ａと同様である。
【００９０】
切替タイミング制御回路２６ｂでは、第２計時回路３２ｂには第１信号ではなく検知信号が入力されて第２信号が生成され、また、ＯＲゲートとして機能する演算回路３８を用いて制御信号が生成される。それ以外は、切替タイミング制御回路２６ｂは、切替タイミング制御回路２６ａと同様である。
【００９１】
第２計時回路３２ｂでは、検知信号の立ち上がりを検出して下に凸の矩形状の第２信号を生成する。また、論理回路３８は、第１計時回路３２ａからの第１信号と第２計時回路３２ｂからの第２信号とのＯＲをとり、制御信号を生成する。
【００９２】
第１計時回路３２ａ、第２計時回路３２ｂおよび演算回路３８は、位置検出信号の切り替わりが起こってから、映像切替信号生成回路３０に位置検出信号を取り込むまでの時間、および位置検出信号を取り込んでから次の位置検出信号を取り込むまでの時間を制御する。
【００９３】
このように構成される立体表示装置１０ｂの各信号波形の一例を図１１〜図１４に示す。
【００９４】
まず、図１１を参照して、第１計時回路３２ａおよび第２計時回路３２ｂがともにリセット機能を有さず、センサ２４から比較的幅の広い（所定時間Ｔ５より幅の広い）位置検出信号および比較的幅の狭い（所定時間Ｔ５より幅の狭い）位置検出信号が出力される場合について説明する。
【００９５】
センサ２４から（ａ）に示す位置検出信号が出力されると、検知回路２８は位置検出信号のエッジを検知し、（ｂ）に示す検知信号を生成し、第１計時回路３２ａおよび第２計時回路３２ｂに出力する。第１計時回路３２ａは検知信号の立ち上がりを検出し、所定時間Ｔ４相当分遅延して（ｃ）に示すような下に凸の矩形状の第１信号を生成し、演算回路３８に与える。なお、立体表示装置１０ｂでは、第１計時回路３２ａが第１信号を生成するとき、検知信号の立ち上がりを検出したのち、所定時間Ｔ４相当分遅延させる点が、立体表示装置１０ａの場合と異なる。
【００９６】
また、第２計時回路３２ｂは、検知信号の立ち上がりを検出し、（ｄ）に示す下に凸の矩形状の第２信号を生成し、演算回路３８に与える。
【００９７】
演算回路３８では、第１信号と第２信号とのＯＲをとって（ｅ）に示す制御信号を生成し、映像切替信号生成回路３０に与える。
【００９８】
映像切替信号生成回路３０は、制御信号の立ち上がりに合わせて位置検出信号を取り込み、（ｆ）に示す映像切替信号を生成し、映像切替回路３４に与える。
【００９９】
このように映像切替回路３４には、（ａ）に示す位置検出信号ではなく（ｆ）に示す映像切替信号を与えるので、映像切り替えのタイミングを遅延し、また、位置検出信号が揺らいでも、映像切替動作に対する影響を低減して、煩雑な映像の切り替わりを少なくでき、観察者は立体映像を認識しやすくなる。
【０１００】
なお、以下に述べる図１２〜図１４に示す場合においても、図１１に示す場合と同様に、（ａ）に示す位置検出信号、（ｂ）に示す検知信号、（ｃ）に示す第１信号、（ｄ）に示す第２信号、（ｅ）に示す制御信号および（ｆ）に示す映像切替信号が生成される。
【０１０１】
ついで、図１２を参照して、第１計時回路３２ａのみリセット機能を有し、センサ２４から比較的幅の広い（所定時間Ｔ５より幅の狭い）位置検出信号および比較的幅の狭い（所定時間Ｔ５より幅の狭い）位置検出信号が出力される場合について説明する。
【０１０２】
この場合には、第１計時回路３２ａはリセット機能を有しているので、第１計時回路３２ａによって設定される所定時間Ｔ５内に、位置検出信号が切り替わり、検知信号が第１計時回路３２ａに再入力されると、計時回路３２はリセットされ、計時を０からやり直す。
【０１０３】
図１２の後半部分からわかるように、第１計時回路３２ａは、たとえば時点ｘ１０などにおいて検知信号によって頻繁にリセットされる。その結果、図１２の（ｃ）に示す第１信号は、図１１の（ｃ）に示す第１信号とは異なり、一度立ち下がり時点ｘ１０でリセットされた後は「Ｌ」の状態を保持し続ける。それに伴って、図１２の（ｅ）に示す制御信号も、図１１の（ｅ）に示す制御信号とは異なる。
【０１０４】
このように、第１計時回路３２ａにリセット機能を持たせることによって、所定時間Ｔ５より短い時間間隔での位置検出信号の切り替えを無視できるので、図１２の（ｅ）に示す制御信号を図１１の（ｅ）に示す制御信号と比較してわかるように、位置検出信号の取り込み回数を少なくできる。したがって、映像切り替えの回数をより少なくできる。
【０１０５】
また、図１２に示す場合には、上述のように、映像切り替えの回数を減少しつつ、第２計時回路３２ｂが生成する（ｄ）に示す第２信号によって、必要な映像切り替えを行うことができる。すなわち、（ｃ）に示す第１信号が「Ｌ」の状態を保持することによって、映像の切り替えがないまたは大幅に遅延するような場合であっても、そのような事態を防げるように、（ｄ）に示す第２信号によって、位置検出信号の切り替わり時点から少し遅いタイミングで映像切り替えを行える。これは、第２計時回路３２ｂが、（ｃ）に示す第１信号ではなく（ｂ）に示す検知信号に基づいて、（ｄ）に示す第２信号を生成し、第１計時回路３２ａの影響を受けることなく、独立して位置検出信号の取り込みタイミングを決定できるからである。
【０１０６】
また、図１２に示す場合においても、映像切替回路３４には、（ａ）に示す位置検出信号ではなく（ｆ）に示す映像切替信号を与えるので、映像切り替えのタイミングを遅延し、また、位置検出信号が揺らいでも、映像切替動作に対する影響を低減して、煩雑な映像の切り替わりを少なくでき、観察者は立体映像を認識しやすくなる。
【０１０７】
さらに、図１３を参照して、第２計時回路３２ｂのみリセット機能を有し、センサ２４から比較的幅の広い位置検出信号（所定時間Ｔ５より幅の広い）および比較的幅の狭い（所定時間Ｔ５より幅の狭い）位置検出信号が出力される場合について説明する。
【０１０８】
この場合には、第２計時回路３２ｂはリセット機能を有しているので、第２計時回路３２ｂによって設定される所定時間Ｔ６内に、位置検出信号が切り替わり、検知信号が第２計時回路３２ｂに再入力されると、第２計時回路３２ｂはリセットされ、計時を０からやり直す。
【０１０９】
図１３からわかるように、第２計時回路３２ｂはたとえば時点ｘ１１などにおいて頻繁にリセットされる。
【０１１０】
その結果、（ｄ）に示す第２信号は、図１１の（ｄ）に示す第２信号とは異なり、一度立ち下がった後は「Ｌ」の状態を保持し続ける。それに伴って、（ｅ）に示す制御信号も、図１１の（ｅ）に示す制御信号とは異なる。
【０１１１】
図１３に示す場合においては、第２計時回路３２ｂにリセット機能を持たせることによって、（ｄ）に示す第２信号からわかるように、所定時間Ｔ６より短い時間間隔での位置検出信号の切り替えを無視できるので、（ｅ）に示す制御信号からわかるように、位置検出信号を取り込む回数が減少する。したがって、映像を切り替える回数をさらに減らすことができる。
【０１１２】
また、映像切替回路３４には、（ａ）に示す位置検出信号ではなく（ｆ）に示す映像切替信号を与えるので、映像切り替えのタイミングを遅延し、また、位置検出信号が揺らいでも、映像切替動作に対する影響を低減して、煩雑な映像の切り替わりを少なくでき、観察者は立体映像を認識しやすくなる。
【０１１３】
ついで、図１４を参照して、第１計時回路３２ａおよび第２計時回路３２ｂがともにリセット機能を有し、センサ２４から比較的幅の広い位置検出信号（所定時間Ｔ５より幅の広い）および比較的幅の狭い（所定時間Ｔ５より幅の狭い）位置検出信号が出力される場合について説明する。
【０１１４】
この場合には、第１計時回路３２ａはリセット機能を有しているので、第１計時回路３２ａによって設定される所定時間Ｔ５内に、位置検出信号が切り替わり、検知信号が第１計時回路３２ａに再入力されると、第１計時回路３２ａはリセットされ、計時を０からやり直す。また、第２計時回路３２ｂもリセット機能を有しているので、第２計時回路３２ａによって設定される所定時間Ｔ６内に、位置検出信号が切り替わり、検知信号が第２計時回路３２ｂに再入力されると、第２計時回路３２ｂはリセットされ、計時を０からやり直す。
【０１１５】
図１４からわかるように、第１計時回路３２ａは、たとえば時点ｘ１２などにおいて、第２計時回路３２ｂは、たとえば時点ｘ１３などにおいて、それぞれ（ｂ）に示す検知信号によって頻繁にリセットされる。その結果、（ｃ）に示す第１信号および（ｄ）に示す第２信号は、それぞれ、図１１の（ｃ）に示す第１信号および（ｄ）に示す第２信号とは異なり、リセットされることによって「Ｌ」の状態を保持し続ける。それに伴って、（ｅ）に示す制御信号も、図１１の（ｅ）に示す制御信号とは異なる。
【０１１６】
図１４に示す場合においては、第１計時回路３２ａにリセット機能を持たせることによって、第１計時回路３２ａによって設定される所定時間Ｔ５より短い時間間隔での位置検出信号の切り替えを、第２計時回路３２ｂにリセット機能を持たせることによって、第２計時回路３２ｂによって設定される所定時間Ｔ６より短い時間間隔での位置検出信号の切り替えを、それぞれ無視できる。したがって、第１計時回路３２ａおよび第２計時回路３２ｂの両方にリセット機能を持たせれば、リセット機能を第１計時回路３２ａおよび第２計時回路３２ｂのいずれにも持たせない場合およびいずれか一方に持たせる場合よりも、さらに映像切り替えの頻度を少なくできる。
【０１１７】
また、図１４に示す場合においても、映像切替回路３４には、（ａ）に示す位置検出信号ではなく（ｆ）に示す映像切替信号を与えるので、映像切り替えのタイミングを遅延し、また、位置検出信号が揺らいでも、映像切替動作に対する影響を低減して、煩雑な映像の切り替わりを少なくでき、観察者は立体映像を認識しやすくなる。
【０１１８】
特に、図１４の後半部分では、（ｅ）に示す制御信号は「Ｌ」の状態を保持し続けるので、位置検出信号を取り込まない。したがって、映像切替回路３４には、（ｆ）に示す同一状態を保持し続ける映像切替信号が与えられるので、位置検出信号が揺らいでも、映像切替動作は影響を受けず、煩雑な映像の切り替わりがない。
【０１１９】
なお、上述の実施の形態では、演算回路３６をＡＮＤゲート、演算回路３８をＯＲゲートとして、それぞれ機能させたが、これに限定されず、（ｄ）に示す第２信号および（ｅ）に示す制御信号の生成方法（上に凸か、下に凸かなど）に応じて、演算回路３６および３８を任意に設定できる。
【０１２０】
たとえば、図５に示す立体表示装置１０ａにおいて、演算回路３６をＯＲゲート、図１０に示す立体表示装置１０ｂにおいて、演算回路３８をＡＮＤゲート６として、それぞれ機能させてもよい。
【０１２１】
また、図５に示す立体表示装置１０ａにおいて、第２計時回路３２ｂは、（ｃ）に示す第１信号の立ち上がりに応じて「上に凸」の第２信号を生成するように設定し（すなわち、図６〜図９の（ｄ）に示す第２信号を反転させる）、演算回路３６をＯＲゲートとして機能させてもよい。
【０１２２】
さらに、図１０に示す立体表示装置１０ｂにおいて、第２計時回路３２ｂは、（ｃ）に示す第１信号の立ち上がりに応じて「上に凸」の第２信号を生成するように設定し（すなわち、図１１〜図１４の（ｄ）に示す第２信号を反転させる）、演算回路３８をＡＮＤゲートとして機能させてもよい。
【０１２３】
【発明の効果】
この発明の立体表示装置によれば、センサからの位置検出信号に応じて表示する映像を切り替える従来に比べて、微妙な観察者の動きや外部ノイズによる位置検出信号の揺らぎを低減できるので、頻繁な映像切り替えが少なくなり、観察者は立体映像を認識しやすくなる。
【図面の簡単な説明】
【図１】この発明の一実施形態を示す図解図である。
【図２】この発明の一実施形態の電気的構成を示すブロック図である。
【図３】図２の実施形態において、計時回路がリセット機能を有さず、センサから比較的幅の広い位置検出信号および比較的幅の狭い位置検出信号が出力される場合の信号波形の一例を示す波形図である。
【図４】図２の実施形態において、計時回路がリセット機能を有し、センサから比較的幅の広い位置検出信号および比較的幅の狭い位置検出信号が出力される場合の信号波形の一例を示す波形図である。
【図５】この発明の他の実施形態の電気的構成を示すブロック図である。
【図６】図５の実施形態において、第１計時回路および第２計時回路がともにリセット機能を有さず、センサから比較的幅の広い位置検出信号および比較的幅の狭い位置検出信号が出力される場合の信号波形の一例を示す波形図である。
【図７】図５の実施形態において、第１計時回路のみリセット機能を有し、センサから比較的幅の広い位置検出信号および比較的幅の狭い位置検出信号が出力される場合の信号波形の一例を示す波形図である。
【図８】図５の実施形態において、第２計時回路のみリセット機能を有し、センサから比較的幅の広い位置検出信号および比較的幅の狭い位置検出信号が出力される場合の信号波形の一例を示す波形図である。
【図９】図５の実施形態において、第１計時回路および第２計時回路がともにリセット機能を有し、センサから比較的幅の広い位置検出信号および比較的幅の狭い位置検出信号が出力される場合の信号波形の一例を示す波形図である。
【図１０】この発明のその他の実施形態の電気的構成を示すブロック図である。
【図１１】図１０の実施形態において、第１計時回路および第２計時回路がともにリセット機能を有さず、センサから比較的幅の広い位置検出信号および比較的幅の狭い位置検出信号が出力される場合の信号波形の一例を示す波形図である。
【図１２】図１０の実施形態において、第１計時回路のみリセット機能を有し、センサから比較的幅の広い位置検出信号および比較的幅の狭い位置検出信号が出力される場合の信号波形の一例を示す波形図である。
【図１３】図１０の実施形態において、第２計時回路のみリセット機能を有し、センサから比較的幅の広い位置検出信号および比較的幅の狭い位置検出信号が出力される場合の信号波形の一例を示す波形図である。
【図１４】図１０の実施形態において、第１計時回路および第２計時回路がともにリセット機能を有し、センサから比較的幅の広い位置検出信号および比較的幅の狭い位置検出信号が出力される場合の信号波形の一例を示す波形図である。
【図１５】従来技術を示す図解図である。
【符号の説明】
１０、１０ａ、１０ｂ            立体表示装置
１２            眼鏡なし立体ディスプレイ
１４            表示パネル
１６            パララックスバリア
１８            レンチキュラレンズ
２０            観察者
２２            発光素子
２４            センサ
２６、２６ａ、２６ｂ            切替タイミング制御回路
２８            検知回路
３０            映像切替信号生成回路
３２            計時回路
３２ａ        第１計時回路
３２ｂ        第２計時回路
３４            映像切替回路
３６、３８            演算回路
【図１】
0003594460.tif 000002
【図２】
0003594460.tif 000003
【図３】
0003594460.tif 000004
【図４】
0003594460.tif 000005
【図５】
0003594460.tif 000006
【図６】
0003594460.tif 000007
【図７】
0003594460.tif 000008
【図８】
0003594460.tif 000009
【図９】
0003594460.tif 000010
【図１０】
0003594460.tif 000011
【図１１】
0003594460.tif 000012
【図１２】
0003594460.tif 000013
【図１３】
0003594460.tif 000014
【図１４】
0003594460.tif 000015
【図１５】
0003594460.tif 000016